(57)【要約】【課題】表示される画像により適した照明光の明るさまたは色に制御する。【解決手段】  CPU２４は、画像入力装置１１から入力された画像データの特徴量を、複数の処理ブロックごとに検出し、特徴量に基づいて、画像データに基づく画像において最も誘目性の高い特徴画像領域を検出する。CPU２４は、特徴画像領域と照明領域との距離および特徴画像領域を中心とする画像における画像データの特徴量の変化に基づいて、照明パラメータの設定値を算出する。照明制御部２６は、画像表示装置１４の画像の表示に同期して、照明制御情報を照明装置１５に出力し、照明パラメータの設定値に基づく明るさや色の光を照射させる。本発明は、家庭用のホームシアターの照明装置に適用できる。【選択図】図１
2006107905.tif 000002
【特許請求の範囲】
【請求項１】
表示装置に表示される画像に基づいて、個別の明るさまたは色の複数の照明光を照射する照明装置の前記照明光の明るさまたは色を制御する照明制御装置において、
前記表示装置に表示される画像の画像データの色相、明度、または彩度である特徴量を検出し、前記特徴量に基づいて、前記画像の中で誘目性が最も高い特徴領域を検出する特徴検出手段と、
前記特徴領域と前記照明光の照射位置との距離、および、前記特徴領域を中心とする前記画像における前記画像データの前記特徴量の変化に基づいて、前記照明光の明るさまたは色を設定する設定手段と
を含むことを特徴とする照明制御装置。
【請求項２】
前記特徴検出手段は、前記画像を複数の分割領域に分割し、隣接する前記分割領域との前記特徴量の差が最も大きな前記分割領域を前記特徴領域とする
ことを特徴とする請求項１に記載の照明制御装置。
【請求項３】
前記設定手段は、前記照明光の色相、明度、または彩度を設定する
ことを特徴とする請求項１に記載の照明制御装置。
【請求項４】
前記照明装置は、外部から供給されるパラメータの値に基づく明るさまたは色の前記照明光を照射し、
前記設定手段は、前記パラメータの値を設定し、
設定された前記パラメータの値を前記照明装置に出力するパラメータ出力手段をさらに含む
ことを特徴とする請求項１に記載の照明制御装置。
【請求項５】
前記パラメータは、前記照明光の色相値、明度値、または彩度値を含む
ことを特徴とする請求項４に記載の照明制御装置。
【請求項６】
前記パラメータ出力手段は、前記表示装置の画像の表示に同期して、前記画像の前記画像データに基づいて設定された前記パラメータを前記照明装置に出力する
ことを特徴とする請求項４に記載の照明制御装置。
【請求項７】
表示装置に表示される画像に基づいて、個別の明るさまたは色の複数の照明光を照射する照明装置の前記照明光の明るさまたは色を制御する照明制御方法において、
前記表示装置に表示される画像の画像データの色相、明度、または彩度である特徴量を検出し、前記特徴量に基づいて、前記画像の中で誘目性が最も高い特徴領域を検出する特徴検出ステップと、
前記特徴領域と前記照明光の照射位置との距離、および、前記特徴領域を中心とする前記画像における前記画像データの前記特徴量の変化に基づいて、前記照明光の明るさまたは色を設定する設定ステップと
を含むことを特徴とする照明制御方法。
【請求項８】
表示装置に表示される画像に基づいて、個別の明るさまたは色の複数の照明光を照射する照明装置の前記照明光の明るさまたは色を制御する照明制御装置のコンピュータ用のプログラムであって、
前記表示装置に表示される画像の画像データの色相、明度、または彩度である特徴量を検出し、前記特徴量に基づいて、前記画像の中で誘目性が最も高い特徴領域を検出する特徴検出ステップと、
前記特徴領域と前記照明光の照射位置との距離、および、前記特徴領域を中心とする前記画像における前記画像データの前記特徴量の変化に基づいて、前記照明光の明るさまたは色を設定する設定ステップと
を含むことを特徴とするコンピュータが読み取り可能なプログラムが記録されている記録媒体。
【請求項９】
表示装置に表示される画像に基づいて、個別の明るさまたは色の複数の照明光を照射する照明装置の前記照明光の明るさまたは色を制御する照明制御装置のコンピュータに、照明制御処理を行なわせるプログラムにおいて、
前記表示装置に表示される画像の画像データの色相、明度、または彩度である特徴量を検出し、前記特徴量に基づいて、前記画像の中で誘目性が最も高い特徴領域を検出する特徴検出ステップと、
前記特徴領域と前記照明光の照射位置との距離、および、前記特徴領域を中心とする前記画像における前記画像データの前記特徴量の変化に基づいて、前記照明光の明るさまたは色を設定する設定ステップと
を含むことを特徴とするプログラム。
【発明の詳細な説明】
【技術分野】
【０００１】
本発明は、照明制御装置および方法、記録媒体、並びにプログラムに関し、表示する画像に基づいて照明光の明るさや色を制御する照明制御装置および方法、記録媒体、並びにプログラムに関する。
【背景技術】
【０００２】
近年、表示装置などに表示される画像に連動して、空間内の照明光の照度を変化させて、画像を見やすくする研究が盛んである（例えば、特許文献１参照）。
【特許文献１】特開２００３−３２３１６９号公報
【発明の開示】
【発明が解決しようとする課題】
【０００３】
しかしながら、特許文献１に記載されている発明では、画像信号の平均値および白ピーク値に基づいて、照明光の明るさを調整するので、例えば、局所的に明るい画像でも、各部の明るさがあまり変化しない画像でも、画像信号の平均値および白ピーク値がほぼ同じであれば、画像の特徴の違いに関わらず、照明光も同じような明るさに調整されるため、必ずしも表示される画像に適した照明光の明るさに調整されるとは限らないという課題があった。
【０００４】
本発明はこのような状況に鑑みてなされたものであり、照明光の明るさまたは色を表示される画像により適した明るさまたは色に制御するようにするものである。
【課題を解決するための手段】
【０００５】
本発明の照明制御装置は、表示装置に表示される画像に基づいて、個別の明るさまたは色の複数の照明光を照射する照明装置の照明光の明るさまたは色を制御する照明制御装置であって、表示装置に表示される画像の画像データの色相、明度、または彩度である特徴量を検出し、特徴量に基づいて、画像の中で誘目性が最も高い特徴領域を検出する特徴検出手段と、特徴領域と照明光の照射位置との距離、および、特徴領域を中心とする画像における画像データの特徴量の変化に基づいて、照明光の明るさまたは色を設定する設定手段とを含むことを特徴とする。
【０００６】
特徴検出手段は、画像を複数の分割領域に分割し、隣接する分割領域との特徴量の差が最も大きな分割領域を特徴領域とするようにすることができる。
【０００７】
設定手段は、照明光の色相、明度、または彩度を設定するようにすることができる。
【０００８】
照明装置は、外部から供給されるパラメータの値に基づく明るさまたは色の照明光を照射し、設定手段は、パラメータの値を設定し、設定されたパラメータの値を照明装置に出力するパラメータ出力手段をさらに含むようにすることができる。
【０００９】
パラメータは、照明光の色相値、明度値、または彩度値を含むようにすることができる。
【００１０】
パラメータ出力手段は、表示装置の画像の表示に同期して、画像の画像データに基づいて設定されたパラメータを照明装置に出力するようにすることができる。
【００１１】
本発明の照明制御方法は、表示装置に表示される画像に基づいて、個別の明るさまたは色の複数の照明光を照射する照明装置の照明光の明るさまたは色を制御する照明制御方法において、表示装置に表示される画像の画像データの色相、明度、または彩度である特徴量を検出し、特徴量に基づいて、画像の中で誘目性が最も高い特徴領域を検出する特徴検出ステップと、特徴領域と照明光の照射位置との距離、および、特徴領域を中心とする画像における画像データの特徴量の変化に基づいて、照明光の明るさまたは色を設定する設定ステップとを含むことを特徴とする。
【００１２】
本発明の記録媒体に記録されているプログラムは、個別の明るさまたは色の複数の照明光を照射する照明装置の照明光の明るさまたは色を制御する照明制御装置のコンピュータ用のプログラムであって、表示装置に表示される画像の画像データの色相、明度、または彩度である特徴量を検出し、特徴量に基づいて、画像の中で誘目性が最も高い特徴領域を検出する特徴検出ステップと、特徴領域と照明光の照射位置との距離、および、特徴領域を中心とする画像における画像データの特徴量の変化に基づいて、照明光の明るさまたは色を設定する設定ステップとを含むことを特徴とする。
【００１３】
本発明のプログラムは、個別の明るさまたは色の複数の照明光を照射する照明装置の照明光の明るさまたは色を制御する照明制御装置のコンピュータに、照明制御処理を行わせるプログラムであって、表示装置に表示される画像の画像データの色相、明度、または彩度である特徴量を検出し、特徴量に基づいて、画像の中で誘目性が最も高い特徴領域を検出する特徴検出ステップと、特徴領域と照明光の照射位置との距離、および、特徴領域を中心とする画像における画像データの特徴量の変化に基づいて、照明光の明るさまたは色を設定する設定ステップとを含むことを特徴とする。
【００１４】
本発明の照明制御置および方法、記録媒体、並びに、プログラムにおいては、表示装置に表示される画像の画像データの色相、明度、または彩度である特徴量が検出され、特徴量に基づいて、画像の中で誘目性が最も高い特徴領域が検出され、特徴領域と照明光の照射位置との距離、および、特徴領域を中心とする画像における画像データの特徴量の変化に基づいて、個別の明るさまたは色の複数の照明光を照射する照明装置の照明光の明るさまたは色が設定される。
【発明の効果】
【００１５】
本発明によれば、表示される画像に基づいて、照明光の明るさまたは色を制御することができる。また、本発明によれば、照明光の明るさまたは色を表示される画像により適した明るさまたは色に制御するようにすることができる。
【発明を実施するための最良の形態】
【００１６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
請求項１に記載の照明制御装置（例えば、図１の照明画像管理装置１３）は、表示装置（例えば、図１の画像表示装置１４）に表示される画像に基づいて、個別の明るさまたは色の複数の照明光を照射する照明装置（例えば、図１の照明装置１５）の前記照明光の明るさまたは色を制御する照明制御装置であって、前記表示装置に表示される画像の画像データの色相、明度、または彩度である特徴量（例えば、処理ブロック特徴量）を検出し、前記特徴量に基づいて、前記画像の中で誘目性が最も高い特徴領域（例えば、特徴画像領域）を検出する特徴検出手段（例えば、図３の画像データ特徴検出部８３）と、前記特徴領域と前記照明光の照射位置（例えば、図２の照明領域６２）との距離、および、前記特徴領域を中心とする前記画像の前記画像データの前記特徴量の変化に基づいて、前記照明光の明るさまたは色を設定する設定手段（例えば、図３の照明パラメータ設定部８４）とを含むことを特徴とする。
【００１９】
請求項２に記載の照明制御装置（例えば、図１の照明画像管理装置１３）においては、前記特徴検出手段は、前記画像を複数の分割領域（例えば、図２の画像領域５２）に分割し、隣接する前記分割領域との前記特徴量の差が最も大きな前記分割領域を前記特徴領域とすることを特徴とする。
【００２０】
請求項４に記載の照明制御装置（例えば、図１の照明画像管理装置１３）においては、前記照明装置は、外部から供給されるパラメータ（例えば、照明パラメータ）の値に基づく明るさまたは色の前記照明光を照射し、前記設定手段は、前記パラメータの値を設定し、設定された前記パラメータの値を前記照明装置に出力するパラメータ出力手段（例えば、図１の照明制御部２６）をさらに含むことを特徴とする。
【００２１】
請求項７に記載の照明制御方法は、表示装置（例えば、図１の画像表示装置１４）に表示される画像に基づいて、個別の明るさまたは色の複数の照明光を照射する照明装置（例えば、図１の照明装置１５）の前記照明光の明るさまたは色を制御する照明制御方法であって、前記表示装置に表示される画像の画像データの色相、明度、または彩度である特徴量（例えば、処理ブロック特徴量）を検出し、前記特徴量に基づいて、前記画像の中で誘目性が最も高い特徴領域（例えば、特徴画像領域）を検出する特徴検出ステップ（例えば、図５のステップＳ２２乃至Ｓ２４）と、前記特徴領域と前記照明光の照射位置（例えば、図２の照明領域６２）との距離、および、前記特徴領域を中心とする前記画像の前記画像データの前記特徴量の変化に基づいて、前記照明光の明るさまたは色を設定する設定ステップ（例えば、図７のステップＳ４１乃至Ｓ４４）とを含むことを特徴とする。
【００２２】
請求項８に記載の記録媒体（例えば、図９のリムーバブルメディア７１１）に記録されているプログラムは、表示装置（例えば、図１の画像表示装置１４）に表示される画像に基づいて、個別の明るさまたは色の複数の照明光を照射する照明装置（例えば、図１の照明装置１５）の前記照明光の明るさまたは色を制御する照明制御装置（例えば、図１の照明画像管理装置１３）のコンピュータ用のプログラムであって、前記表示装置に表示される画像の画像データの色相、明度、または彩度である特徴量（例えば、処理ブロック特徴量）を検出し、前記特徴量に基づいて、前記画像の中で誘目性が最も高い特徴領域（例えば、特徴画像領域）を検出する特徴検出ステップ（例えば、図５のステップＳ２２乃至Ｓ２４）と、前記特徴領域と前記照明光の照射位置（例えば、図２の照明領域６２）との距離、および、前記特徴領域を中心とする前記画像の前記画像データの前記特徴量の変化に基づいて、前記照明光の明るさまたは色を設定する設定ステップ（例えば、図７のステップＳ４１乃至Ｓ４４）とを含むことを特徴とする。
【００２３】
請求項９に記載のプログラムは、表示装置（例えば、図１の画像表示装置１４）に表示される画像に基づいて、個別の明るさまたは色の複数の照明光を照射する照明装置（例えば、図１の照明装置１５）の前記照明光の明るさまたは色を制御する照明制御装置（例えば、図１の照明画像管理装置１３）のコンピュータに、照明制御処理を行わせるプログラムであって、前記表示装置に表示される画像の画像データの色相、明度、または彩度である特徴量（例えば、処理ブロック特徴量）を検出し、前記特徴量に基づいて、前記画像の中で誘目性が最も高い特徴領域（例えば、特徴画像領域）を検出する特徴検出ステップ（例えば、図５のステップＳ２２乃至Ｓ２４）と、前記特徴領域と前記照明光の照射位置（例えば、図２の照明領域６２）との距離、および、前記特徴領域を中心とする前記画像の前記画像データの前記特徴量の変化に基づいて、前記照明光の明るさまたは色を設定する設定ステップ（例えば、図７のステップＳ４１乃至Ｓ４４）とを含むことを特徴とする。
【００２４】
以下、図を参照して、本発明の実施の形態について説明する。
【００２５】
図１は、本発明を適用した画像表示システム１の一実施の形態の構成を示すブロック図である。
【００２６】
画像表示システム１は、画像入力装置１１、ユーザインターフェイス（Ｉ／Ｆ）１２、照明画像管理装置１３、画像表示装置１４、および照明装置１５により構成される。
【００２７】
画像入力装置１１は、例えば、ブルーレイディスクレコーダ、ハードディスクレコーダ、DVD（Digital Versatile Disk）レコーダ、ビデオレコーダなどの映像記録再生装置、DVDプレイヤーなどの映像再生装置、ビデオカメラなどの映像撮像装置、デジタルカメラなどの撮影装置、スキャナなどの画像読み取り装置、または、テレビチューナなどのテレビジョン信号受信装置などにより構成される。画像入力装置１１は、照明画像管理装置１３のA/D（Analog/Digital）変換部２１にアナログの画像データを入力し、デジタルインターフェイス（I/F）部２２にデジタルの画像データを入力する。
【００２８】
ユーザインターフェイス（I/F）１２は、例えば、各種のスイッチやボタンなどにより構成され、ユーザからの操作の指示の入力を受け付ける。また、ユーザインターフェイス１２は、例えば、画像表示システム１の処理の実行状態などを図示せぬ表示部に表示させ、ユーザに通知する。
【００２９】
照明画像管理装置１３は、A/D変換部２１、デジタルインターフェイス（I/F）部２２、メモリ２３、CPU（Central Processing Unit）２４、D/A（Digital/Analog）変換部２５、および、照明制御部２６により構成される。
【００３０】
A/D変換部２１は、画像入力装置１１から入力されたアナログの画像データをデジタルの画像データにA/D変換する。A/D変換部２１は、A/D変換した画像データをメモリ２３に記憶させるとともに、画像データが入力されたことを示す情報（以下、画像データ入力情報と称する）をCPU２４に供給する。
【００３１】
デジタルインターフェイス部２２は、画像入力装置１１から入力されたデジタルの画像データをメモリ２３に記憶させるとともに、画像データが入力されたことを示す画像データ入力情報をCPU２４に供給する。
【００３２】
メモリ２３は、EEPROM（Electrically Erasable and Programmable Read Only Memory）、MRAM（Magnetoresistive Random Access Memory，磁気抵抗メモリ）、FeRAM（Ferroelectric Random Access Memory，強誘電体メモリ）、OUM（Ovonic Unified Memory）などの書き換え可能な不揮発性のメモリ、RAM（Random Access Memory）、または、HDD（Hard Disk Drive）などにより構成される。メモリ２３は、CPU２４の処理の実行において使用するプログラムや、その実行において適宜変化するパラメータやデータを格納する。また、メモリ２３は、画像入力装置１１から入力される画像データを格納する。
【００３３】
CPU２４は、ユーザがユーザインターフェイス１２を操作することにより入力された各種の処理を指示する信号に基づいて、所定のプログラムを実行することにより、照明画像管理装置１３の各部が実行する処理を制御する。CPU２４は、図４乃至図８を参照して後述するように、画像入力装置１１から入力された画像データに基づいて、照明装置１５が照射する照明光の明るさや色を制御するためのパラメータ（以下、照明パラメータと称する）の設定値を算出し、算出した照明パラメータの設定値を照明制御部２６に供給する。
【００３４】
D/A変換部２５は、CPU２４の制御の基に、メモリ２３から画像データを読み出し、読み出した画像データをアナログの画像データにD/A変換する。D/A変換部２５は、D/A変換した画像データを画像表示装置１４に出力する。
【００３５】
照明制御部２６は、CPU２４の制御の基に、画像表示装置１４の画像の表示に同期して、例えば、DMX５１２の規格に基づくプロトコルに基づいて、照明装置１５の処理を制御するための情報（以下、照明制御情報と称する）を照明装置１５に出力し、照明装置１５の処理を制御する。照明制御情報は、上述した照明パラメータ、照明パラメータに基づく照明光を発光する照明装置１５の照明部分の領域、照明パラメータに基づく照明光を照射する時間（例えば、照射を開始する時間と終了する時間など）などに関する情報を含む。また、照明制御情報は、照明装置１５のパン（横軸の動き）、チルト（縦軸の動き）、ゴボ（絵柄）などの情報を含むようにすることができる。
【００３６】
画像表示装置１４は、図２に示されるように、例えば、LCD（Liquid Crystal Display）またはPDP（Plasma Display Panel）などにより構成される画面５１を備え、照明画像管理装置１３から供給される画像データに基づく画像を画面５１に表示する。図４乃至図８を参照して後述するように、画面５１に表示される画像は画像領域５２−１乃至５２−１６の１６個の領域に分割され、それぞれの画像領域の画像データの特徴量に基づいて、照明パラメータが設定される。なお、以下、画像領域５２−１乃至５２−１６を特に区別する必要がない場合、単に、画像領域５２と称する。また、画像領域５２の数は１６に限定されるものではなく、任意の数でよい。
【００３７】
照明装置１５は、例えば、赤、緑、青の３色の発光ダイオード、または、蛍光カラーランプなどを複数備え、図２に示されるように、画面５１の左に隣接された照明面６１Ｌ、および、画面５１の右に隣接された照明面６２Ｒに、照明面６１Ｌおよび６１Ｒの背後からカラーの照明光を照射する。なお、以下、照明面６１Ｌおよび６１Ｒを特に区別する必要がない場合、単に、照明面６１と称する。
【００３８】
照明面６１は、例えば、背後から照明光を透過させるスクリーンからなる。図２に示されるように、照明面６１Ｌは照明領域６２Ｌ−１乃至６２Ｌ−１６の１６個の照明領域に分割され、照明面６１Ｒは照明領域６２Ｒ−１乃至６２Ｒ−１６の１６個の照明領域に分割される。なお、以下、照明領域６２Ｌ−１乃至６２Ｌ−１６、または、照明領域６２Ｒ−１乃至６２Ｒ−１６を特に区別する必要がない場合、単に、照明領域６２Ｌまたは照明領域６２Ｒと称する。また、以下、照明領域６２Ｌおよび６２Ｒを特に区別する必要がない場合、単に、照明領域６２と称する。照明装置１５は、照明画像管理装置１３から供給される照明制御情報に基づいて、各照明領域６２ごとに個別の明るさまたは色の照明光を照射する。
【００３９】
なお、照明領域６２の数は３２に限定されるものではなく、任意の数でよい。また、照明装置１５が、照明面６１の背後からではなく、前方から照明光を照射するようにし、照明面６１がその照明光を反射するようにしてもよい。
【００４０】
なお、以下、画像領域５２および照明領域６２の位置関係を示す座標系を次のとおり定義する。すなわち、画面５１の中央（画像領域５２−６，５２−７，５２−１０，および５２−１１の接点）を原点とし、原点を通る水平方向の軸をｘ軸とし、原点を通る垂直方向の軸をｙ軸とする。また、ｘ軸の右方向を正の方向とし、ｙ軸の上方向を正の方向とする。さらに、画像領域５２および照明領域６２の１辺の長さを２とし、画像領域５２および照明領域６２の位置を、それぞれの領域の中心の座標により表す。例えば、画像領域５２−７の位置は（１，１）となり、照明領域６２Ｌ−１６の位置は（−１１，−３）となる。また、２つの領域間の距離は、それぞれの領域の位置（中心）の間の距離で表す。
【００４１】
なお、画面５１および照明面６１の配置、形状などは、図２に示される例に限定されるものではない。
【００４２】
図３は、照明制御のプログラムを実行するCPU２４により実現される機能の構成の一例を示すブロック図である。CPU２４がプログラムを実行することにより、画像データ管理部８１、領域情報管理部８２、画像データ特徴検出部８３、照明パラメータ設定部８４、および、表示タイミング制御部８５が実現される。
【００４３】
画像データ管理部８１は、A/D変換部２１またはデジタルインターフェイス部２２から画像データ入力情報が供給された場合、供給された画像データ入力情報を、画像データ特徴検出部８３および表示タイミング制御部８５に供給する。画像データ管理部８１は、表示タイミング制御部８５から供給される出力タイミング信号に基づいて、D/A変換部２５を制御して、メモリ２３に記憶されている画像データをD/A変換させ、D/A変換させた画像データを画像表示装置１４に供給させる。
【００４４】
領域情報管理部８２は、ユーザインターフェイス１２を介してユーザにより入力された、配置、形状、寸法、画素数など画像領域５２に関する情報（以下、画像領域情報と称する）、および、配置、形状、寸法、各画像領域５２との距離など照明領域６２に関する情報（以下、照明領域情報と称する）をメモリ２３に記憶させ、管理する。領域情報管理部８２は、必要に応じて、画像領域情報または照明領域情報を、画像データ特徴検出部８３または照明パラメータ設定部８４に供給する。
【００４５】
画像データ特徴検出部８３は、図５を参照して後述するように、画像データを画像領域５２に対応する画像データごとのデータブロック（以下、処理ブロック）に分割し、処理ブロックごとの特徴量（以下、処理ブロック特徴量と称する）を検出する。画像データ特徴検出部８３は、検出した処理ブロック特徴量に基づいて、最も誘目性の高い画像領域５２（以下、特徴画像領域と称する）を検出する。画像データ特徴検出部８３は、処理ブロック特徴量および特徴画像領域を示す情報（以下、画像データ特徴情報と称する）を照明パラメータ設定部８４に供給する。
【００４６】
照明パラメータ設定部８４は、図７を参照して後述するように、照明領域情報および画像データ特徴情報に基づいて、各照明領域６２に照射する照明光の照明パラメータの設定値を算出し、算出した照明パラメータの設定値を示す情報（以下、照明パラメータ情報と称する）を照明制御部２６に供給する。照明パラメータ設定部８４は、照明パラメータの設定値の算出が完了したことを示す情報（以下、照明パラメータ設定完了情報と称する）を表示タイミング制御部８５に供給する。
【００４７】
表示タイミング制御部８５は、画像表示装置１４に画像を表示させるタイミングを管理し、メモリ２３に記憶されている画像を表示させるタイミングになったとき、出力タイミング信号を画像データ管理部８１および照明制御部２６に供給する。
【００４８】
次に、図４乃至図８を参照して、画像表示システム１の処理を説明する。
【００４９】
まず、図４のフローチャートを参照して、画像表示システム１により実行される画像表示処理を説明する。なお、この処理は、例えば、ユーザがユーザインターフェイス１２を操作して、処理の開始が指示されたとき開始され、処理の終了が指示されたとき終了される。
【００５０】
ステップＳ１において、照明画像管理装置１３は、画像データを取得する。具体的には、画像データがアナログデータの場合、画像入力装置１１は、画像データをA/D変換部２１に入力し、A/D変換部２１は画像データをA/D変換する。A/D変換部２１は、A/D変換した画像データをメモリ２３に記憶させるとともに、画像データ入力情報を画像データ管理部８１に供給する。画像データ管理部８１は、画像データ入力情報を画像データ特徴検出部８３および表示タイミング制御部８５に供給する。
【００５１】
画像データがデジタルデータの場合、画像入力装置１１は、画像データをデジタルインターフェイス部２２に入力し、デジタルインターフェイス部２２は、入力された画像データをメモリ２３に記憶させるとともに、画像データ入力情報を画像データ管理部８１に供給する。画像データ管理部８１は、画像データ入力情報を画像データ特徴検出部８３および表示タイミング制御部８５に供給する。
【００５２】
ステップＳ２において、画像データ特徴検出部８３は、画像データ特徴検出処理を実行する。画像データ特徴検出処理の詳細は、図５を参照して後述するが、この処理により、処理ブロック特徴量および特徴画像領域が検出される。また、画像データ特徴情報が照明パラメータ設定部８４に供給される。
【００５３】
ステップＳ３において、照明パラメータ設定部８４は、照明パラメータ設定処理を実行する。照明パラメータ設定処理の詳細は、図７を参照して後述するが、この処理により、各照明領域６２に照射する照明光の照明パラメータの設定値が算出され、照明パラメータ情報が照明制御部２６に供給される。また、照明パラメータ設定完了情報が表示タイミング制御部８５に供給される。
【００５４】
ステップＳ４において、CPU２４は、画像表示装置１４に画像データに基づく画像を表示させるとともに、照明装置１５から照射される照明光の明るさや色を制御する。具体的には、表示タイミング制御部８５は、画像を表示させるタイミングになったとき、出力タイミング信号を画像データ管理部８１および照明制御部２６に供給する。例えば、表示タイミング制御部８５は、照明パラメータ設定部８４から照明パラメータ設定完了情報を取得したとき、出力タイミング信号を画像データ管理部８１および照明制御部２６に供給する。または、例えば、表示タイミング制御部８５は、画像データに記録されている表示時間を示す情報に基づいて、出力タイミング信号を画像データ管理部８１および照明制御部２６に供給する。
【００５５】
D/A変換部２５は、画像データ管理部８１の制御の基に、メモリ２３から画像データを読み出し、読み出した画像データをアナログの画像データにD/A変換する。D/A変換部２５は、D/A変換した画像データを画像表示装置１４に供給し、画像表示装置１４に画像データに基づく画像を表示させる。
【００５６】
照明制御部２６は、照明パラメータの設定値を含む照明制御情報を生成し、生成した照明制御情報を照明装置１５に供給する。照明装置１５は、照明制御情報に含まれる照明パラメータの設定値に基づいて、各照明領域６２に照射する照明光の明るさや色を制御する。各照明領域６２に照射される照明光の明るさおよび色の詳細については、図７を参照して後述するが、これにより、画像表示装置１４の画像の表示に同期して、表示される画像の画像データに基づいて算出された照明パラメータの設定値が照明装置１５に出力され、照明パラメータの設定値に基づく明るさおよび色の照明光が照明装置１５から各照明領域６２に照射される。
【００５７】
ステップＳ５において、画像データ管理部８１は、新規の画像データが入力されたか否かを判定する。その後、新規の画像データが入力されたと判定されるまで、ステップＳ５の判定処理が繰り返され、画像入力装置１１から画像データが入力され、ステップＳ５において、新規の画像データが入力されたと判定された場合、処理はステップＳ１に戻り、上述した処理が繰り返し実行される。
【００５８】
次に、図５のフローチャートを参照して、図４のステップＳ２の画像データ特徴検出処理の一例の詳細を説明する。
【００５９】
ステップＳ２１において、画像データ特徴検出部８３は、メモリ２３から画像データを読み出す。
【００６０】
ステップＳ２２において、画像データ特徴検出部８３は、画像データを処理ブロックに分割する。具体的には、画像データ特徴検出部８３は、領域情報管理部８２から画像領域情報を取得し、画像領域情報に基づいて、画像データを処理ブロックに分割する。
【００６１】
ステップＳ２３において、画像データ特徴検出部８３は、処理ブロック特徴量を検出する。具体的には、画像データ特徴検出部８３は、例えば、処理ブロックごとに処理ブロックに含まれる全ての画素のマンセル表色系に基づく色相、明度、および彩度の平均値（以下、それぞれ、色相平均値、明度平均値、および彩度平均値と称する）を求め、それぞれの平均値をその処理ブロックの処理ブロック特徴量とする。
【００６２】
例えば、色相の値（以下、色相値と称する）は、マンセル表色系の色相環を１０種類の色に分割し、分割した色ごとにさらに１０分割した１００段階の色相に対して、色相環の順番に従って割り当てた１から１００までの値で表される。また、明度の値（以下、明度値と称する）は、０（黒）から１０（白）までの１１段階の値で表される。彩度の値（以下、彩度値と称する）は、０（無彩色）から１５（純色）までの１６段階の値で表される。なお、色相値、明度値、彩度値を表す表色系として、マンセル表色系以外に、L*a*b*表色系、L*C*h表色系、ハンターLab表色系、XYZ（Yxy）表色系など他の表色系を用いるようにしてもよい。
【００６３】
ステップＳ２４において、画像データ特徴検出部８３は、特徴画像領域を検出し、画像データ特徴検出処理は終了する。具体的には、例えば、画像データ特徴検出部８３は、各処理ブロックについて、処理ブロックの明度平均値と、処理ブロックに対応する画像領域５２の上下左右斜めに隣接する画像領域５２に対応する処理ブロックの明度平均値との差の平均値（以下、明度変化量と称する）を算出する。画像データ特徴検出部８３は、求めた明度変化量の絶対値が最も大きな処理ブロック（以下、特徴ブロックと称する）に対応する画像領域５２を特徴画像領域とする。
【００６４】
例えば、各画像領域５２に対応する処理ブロックの明度平均値を図６に示される値とした場合、画像領域５２−１に対応する処理ブロックの明度変化量は、画像領域５２−１に対応する処理ブロックの明度平均値と、画像領域５２−２，５２−５，および５２−６に対応する処理ブロックの明度平均値との差の平均値となり、（（０−１）＋（０−３）＋（０−２））÷３＝−２となる。また、画像領域５２−７に対応する処理ブロックの明度変化量は、画像領域５２−７に対応する処理ブロックの明度平均値と、画像領域５２−２乃至５２−４，５２−６，５２−８、および５２−１０乃至５２−１２に対応する処理ブロックの明度平均値との差の平均値となり、（（１０−１）＋（１０−４）＋（１０−３）＋（１０−３）＋（１０−５）＋（１０−７）＋（１０−８）＋（１０−９））÷８＝５となる。
【００６５】
これにより、隣接する画像領域５２の特徴量の１つである明度平均値との差が最も大きい画像領域５２が特徴画像領域として検出される。より正確にいえば、隣接する（周囲の）画像領域５２の画像データの明度平均値と比較して、明度平均値の変化が大きく、その変化量が正の値または負の値に偏っている画像領域５２が特徴画像領域として検出される。従って、周囲の画像領域５２と比較して、特に明るくなっている画像領域５２、または、特に暗くなっている画像領域５２が特徴画像領域として検出される傾向となる。
【００６６】
ところで、画像全体の特徴量（色相値、明度値、彩度値）の平均値はほぼ同じ画像でも、特徴量の分布により画像の見え方は異なる。人の視覚には誘目性と呼ばれる性質があり、背景との明度や色の差が大きい画像、面積が大きい画像などが、誘目性が高く、人の注目を惹きやすいことが知られている（例えば、「菊田祐次  他２名、重要度と誘目性を考慮した大量情報の提示手法及び表示達成度を用いた評価について、電子情報通信学会技術研究報告、日本、社団法人電子情報通信学会，２０００年５月、Vol.100  No.31、４１ページ乃至４８ページ、DE2000-6（資料番号）」参照）。特に、人間の目は、色相および彩度の差よりも明度の差に敏感であると言われており、従って、上述した処理により検出される特徴画像領域は、最も人間が注目しやすい、すなわち、最も誘目性の高い画像領域５２が検出される傾向となる。
【００６７】
なお、特徴画像領域を、明度平均値だけでなく、色相平均値もしくは彩度平均値、または、それらの平均値の組み合わせに基づいて検出するようにしてもよい。これにより、明度だけでなく、色相もしくは彩度、または、色相、明度もしくは彩度の組み合わせに基づいて、隣接した（周囲の）画像領域５２と比較して、それらの特徴量が大きく変化し、最も特徴的で、誘目性が高い画像領域５２が特徴画像領域として検出されるようになる。
【００６８】
また、特徴画像領域の検出方法についても、上述した方法だけでなく、例えば、特徴量の最も大きい処理ブロック、または、最も小さい処理ブロックに対応する画像領域５２を特徴画像領域とするようにしたり、特徴量の分布に基づいて、最も出現頻度が少ない特徴量を持つ処理ブロックに対応する画像領域５２を特徴画像領域とするようにしたり、特徴量の時系列における変化が最も大きい画像領域５２を特徴画像領域とするようにしたりして、最も誘目性の高い画像領域５２である特徴画像領域を検出するようにしてもよい。
【００６９】
画像データ特徴検出部８３は、処理ブロック特徴量および特徴画像領域を示す画像データ特徴情報を照明パラメータ設定部８４に供給する。
【００７０】
次に、図７のフローチャートを参照して、図４のステップＳ３の照明パラメータ設定処理の一例の詳細を説明する。
【００７１】
ステップＳ４１において、照明パラメータ設定部８４は、照明領域６２を１つ選択する。なお、以下、ステップＳ４１の処理で選択された照明領域６２を選択照明領域と称する。
【００７２】
ステップＳ４２において、照明パラメータ設定部８４は、特徴画像領域と選択照明領域との間に存在する画像領域５２のうち、照明パラメータの設定値の算出に用いる画像領域５２（以下、中間画像領域と称する）を設定する。なお、以下、中間画像領域に対応する処理ブロックを中間ブロックと称する。
【００７３】
具体的には、照明パラメータ設定部８４は、特徴画像領域と同じ水平方向の行に表示される画像領域５２のうち画面５１の左端または右端に表示される画像領域５２、および、特徴画像領域と同じ垂直方向の列に表示される画像領域５２のうち画面５１の上端または下端に表示される画像領域５２を中間画像領域の候補とする。
【００７４】
例えば、特徴画像領域を画像領域５２−７とした場合、中間画像領域の候補は、特徴画像領域である画像領域５２−７と同じ水平方向の行に表示される画像領域５２のうち画面５１の左端に表示される画像領域５２−５および右端に表示される５２−８、並びに、特徴画像領域である画像領域５２−７と同じ垂直方向の列に表示される画像領域５２のうち画面５１の上端に表示される画像領域５２−３および下端に表示される５２−１５とされる。なお、特徴画像領域が、画面５１の左端、右端、上端または下端に表示される場合、特徴画像領域自身が中間画像領域の候補の１つとされる。例えば、画像領域５２−５が特徴画像領域の場合、中間画像領域の候補は、画像領域５２−１、５２−５、５２−８および５２−１３とされる。
【００７５】
次に、照明パラメータ設定部８４は、特徴画像領域と同じ行に表示される中間画像領域の候補のうち選択照明領域の近くに表示される方の画像領域５２と、特徴画像領域と同じ列に表示される中間画像領域の候補のうち選択照明領域の近くに表示される方の画像領域５２とを中間画像領域に設定する。
【００７６】
例えば、特徴画像領域が画像領域５２−７であり、中間画像領域の候補が画像領域５２−３、５２−５、５２−８および５２−１５である場合、選択照明領域が照明領域６２Ｌ−４のとき、中間画像領域は、特徴画像領域である画像領域５２−７と同じ行に表示される中間画像領域の候補のうち選択照明領域である照明領域６２Ｌ−４の近くに表示される方の画像領域５２−５と、特徴画像領域である画像領域５２−７と同じ列に表示される中間画像領域の候補のうち選択照明領域である照明領域６２Ｌ−４の近くに表示される方の画像領域５２−３とが中間画像領域に設定される。なお、以下、特徴画像領域と同じ行に表示される中間画像領域を水平中間画像領域と称し、特徴画像領域と同じ列に表示される中間画像領域を垂直中間画像領域と称する。
【００７７】
なお、選択照明領域が特徴画像領域と同じ行に位置する場合、中間画像領域は水平中間画像領域のみとされる。例えば、特徴画像領域が画像領域５２−７、かつ、選択照明領域が照明領域６２Ｒ−８の場合、水平中間画像領域である画像領域５２−８のみが中間画像領域に設定される。
【００７８】
また、特徴画像領域が中間画像領域の候補であり、同じ行（または、列）に中間画像領域の候補が３つ存在する場合、水平中間画像領域（または、垂直中間画像領域）の候補は、特徴画像領域と同じ行（または、列）に表示される中間画像領域の候補のうち画面５１の左端または右端（または、上端または下端）に表示される画像領域５２のみとされる。例えば、画像領域５２−５が特徴画像領域であり、中間画像領域の候補が画像領域５２−１、５２−５、５２−８および５２−１３である場合、特徴画像領域と同じ列に中間画像領域の候補が画像領域５２−１、５２−５、および５２−１３の３つ存在するが、垂直中間画像領域の候補は、画面５１の上端に表示される画像領域５２−１および下端に表示される画像領域５２−１３のみとされる。
【００７９】
ステップＳ４３において、照明パラメータ設定部８４は、選択照明領域に照射する照明光の照明パラメータの設定値を算出する。具体的には、例えば、照明パラメータは、画像領域５２の特徴量と同様に、色相値、明度値、および彩度値の３つのパラメータにより構成される。
【００８０】
例えば、特徴画像領域の色相値、明度値、彩度値をそれぞれHr、Br、Sr、水平中間画像領域の色相値、明度値、彩度値をそれぞれHh、Bh、Sh、垂直中間画像領域の色相値、明度値、彩度値をそれぞれHv、Bv、Sv、特徴画像領域と選択照明領域とのｘ軸方向の距離をDrix、特徴画像領域と選択照明領域とのｙ軸方向の距離をDriy、特徴画像領域と水平中間画像領域との距離をDrh、特徴画像領域と垂直中間画像領域との距離をDrv、選択照明領域の照明パラメータの色相値、明度値、彩度値をそれぞれHi、Bi、Siとした場合、選択照明領域の照明パラメータの色相値Hi、明度値Bi、彩度値Siは、次の式（１）乃至（３）により求められる。
【００８１】
Hi＝Hr＋((Hh−Hr)×Fh(Drix÷Drh)＋(Hv−Hr)×Fh(Driy÷Drv))÷2…（１）
Bi＝Br＋((Bh−Br)×Fb(Drix÷Drh)＋(Bv−Br)×Fb(Driy÷Drv))÷2…（２）
Si＝Sr＋((Sh−Sr)×Fs(Drix÷Drh)＋(Sv−Sr)×Fs(Driy÷Drv))÷2…（３）
【００８２】
なお、Fh()は照明パラメータの色相値を算出するための補正関数を示しており、Fb()は照明パラメータの明度値を算出するための補正関数を示しており、Fs()は照明パラメータの彩度値を算出するための補正関数を示している。式（１）乃至（３）においては、補正関数Fh()、Fb()、またはFs()の値は、特徴画像領域と選択照明領域とのｘ軸方向の距離Drixと、特徴画像領域と水平中間画像領域との距離Drhとの比、または、特徴画像領域と選択照明領域とのｙ軸方向の距離Driyと、特徴画像領域と垂直中間画像領域との距離Drvとの比に基づいて算出される。
【００８３】
また、選択照明領域が特徴画像領域と同じ行に位置し、水平中間画像領域のみ存在する場合、照明パラメータの色相値Hi、明度値Bi、彩度値Siは、式（１）乃至（３）の代わりに次の式（４）乃至（６）により求められる。
【００８４】
Hi＝Hr＋(Hh−Hr)×Fh(Drix÷Drh)…（４）
Bi＝Br＋(Bh−Br)×Fb(Drix÷Drh)…（５）
Si＝Sr＋(Sh−Sr)×Fs(Drix÷Drh)…（６）
【００８５】
さらに、特徴画像領域と水平中間画像領域が一致する場合、すなわち、Hr＝Hh，Br＝Bh，Sr＝Sh，および、Drh＝0の場合、照明パラメータの色相値Hi、明度値Bi、彩度値Siは、式（１）乃至（６）の代わりに次の式（１）’乃至（６）’により求められる。
【００８６】
Hi＝Hr＋((Hv−Hr)×Fh(Driy÷Drv))÷2…（１）’
Bi＝Br＋((Bv−Br)×Fb(Driy÷Drv))÷2…（２）’
Si＝Sr＋((Sv−Sr)×Fs(Driy÷Drv))÷2…（３）’
Hi＝Hr…（４）’
Bi＝Br…（５）’
Si＝Sr…（６）’
【００８７】
また、特徴画像領域と垂直中間画像領域が一致する場合、すなわち、Hr＝Hv，Br＝Bv，Sr＝Sv，Drv＝0の場合、照明パラメータの色相値Hi、明度値Bi、彩度値Siは、式（１）乃至（３）の代わりに次の式（１）’’乃至（３）’’により求められる。
【００８８】
Hi＝Hr＋((Hh−Hr)×Fh(Drix÷Drh))÷2…（１）’’
Bi＝Br＋((Bh−Br)×Fb(Drix÷Drh))÷2…（２）’’
Si＝Sr＋((Sh−Sr)×Fs(Drix÷Drh))÷2…（３）’’
【００８９】
なお、上述した式において、照明パラメータの明度値Bi、または、彩度値Siの値が、下限値を下回った場合、下限値に補正され、上限値を上回った場合、上限値に補正される。
【００９０】
また、色相値Hiについては、上限値100と下限値1の色相がマンセル表色系の色相環において隣接することを考慮して、上述した式において、色相値Hiの値が、下限値を下回った場合、または、上限値を上回った場合、色相値Hiの値を100で割った剰余値に補正される。ただし、剰余値が0の場合、色相値Hiの値は上限値の100に補正される。例えば、上述した式において、色相値Hiの値が156になった場合、色相値Hiの値は56（＝156 mod 100）に補正され、色相値Hiの値が-15になった場合、色相値Hiの値は85（＝-15 mod 100）に補正され、色相値Hiの値が200になった場合、色相値Hiの値を100で割った剰余値が0（＝200 mod 100）なので、色相値Hiの値は100に補正される。
【００９１】
なお、状況に応じて、色相値Hiの値を、明度値Biまたは彩度値Siと同様に、下限値を下回った場合、下限値に補正し、上限値を上回った場合、上限値に補正するようにしてもよい。
【００９２】
例えば、補正関数Fh()、Fb()、Fs()を、それぞれ次の式（７）乃至（９）のとおり定義した場合、上述した式（１）乃至（６）は、次の式（１０）乃至（１５）となる。
【００９３】
Fh(x)＝ｘ…（７）
Fb(x)＝ｘ…（８）
Fs(x)＝ｘ…（９）
【００９４】
Hi＝Hr＋((Hh−Hr)×(Drix÷Drh)＋(Hv−Hr)×(Driy÷Drv))÷2…（１０）
Bi＝Br＋((Bh−Br)×(Drix÷Drh)＋(Bv−Br)×(Driy÷Drv))÷2…（１１）
Si＝Sr＋((Sh−Sr)×(Drix÷Drh)＋(Sv−Sr)×(Driy÷Drv))÷2…（１２）
Hi＝Hr＋(Hh−Hr)×(Drix÷Drh)…（１３）
Bi＝Br＋(Bh−Br)×(Drix÷Drh)…（１４）
Si＝Sr＋(Sh−Sr)×(Drix÷Drh)…（１５）
【００９５】
式（１０）乃至（１５）によれば、特徴画像領域と選択照明領域（照明光の照射位置）との距離、および、特徴画像領域を中心とする画像における画像データの特徴量の変化に基づいて、選択照明領域に照射される照明光の明るさまたは色（色相値、明度値、または、彩度値）が設定される。より詳しく言えば、特徴画像領域と水平中間画像領域または垂直中間画像領域との間の特徴量（色相値、明度値、または、彩度値）の変化量が、特徴画像領域と選択照明領域との距離と、特徴画像領域と水平中間画像領域または垂直中間画像領域との距離の比に比例して、選択照明領域に照射される照明光の照明パラメータの設定値（色相値、明度値、または、彩度値）に反映される。すなわち、特徴画像領域を中心とする画像領域５２の特徴量の変化が、照明領域６２に照射される照明光の照明パラメータの設定値にも反映され、特徴画像領域を中心とする画像の明るさや色の変化が、照明装置１５の照明の明るさや色の変化にも反映される。
【００９６】
ここで、特徴画像領域を画像領域５２−７とし、その特徴量を(Hr，Br，Sr)＝(30，10，13)とした場合において、式（１０）乃至（１５）に基づく、照明領域６２Ｌ−６および６２Ｌ−１１の照明パラメータの設定値の算出例について説明する。
【００９７】
まず、照明領域６２Ｌ−６が選択照明領域の場合、特徴画像領域と照明領域６２Ｌ−６とが同じ行にあるので、水平中間画像領域は画像領域５２−５となり、垂直中間画像領域は存在しない。このとき、特徴画像領域である画像領域５２−７と選択照明領域である照明領域６２Ｌ−６とのｘ軸方向の距離はDrix＝8、特徴画像領域である画像領域５２−７と水平中間画像領域である画像領域５２−５との距離はDrh＝４となる。水平中間画像領域である画像領域５２−５の特徴量を(Hh，Bh，Sh)＝(20，4，10)とした場合、選択照明領域である照明領域６２Ｌ−６に照射される照明光の照明パラメータの設定値(Hi，Bi，Si)は、式（１３）乃至（１５）に基づいて、下記の値となる。
【００９８】
Hi＝30＋(20−30)×(8÷4)＝10
Bi＝10＋(4−10)×(8÷4)＝−2
Si＝13＋(10−13)×(8÷4)＝7
【００９９】
ただし、明度値Biは、明度値の最小値である0を下回るので、0に補正される。
【０１００】
次に、照明領域６２Ｌ−１１が選択照明領域の場合、水平中間画像領域は画像領域５２−５となり、垂直中間画像領域は画像領域５２−１５となる。このとき、特徴画像領域である画像領域５２−７と選択照明領域である照明領域６２Ｌ−１１とのｘ軸方向の距離はDrix＝１０、特徴画像領域である画像領域５２−７と選択照明領域である照明領域６２Ｌ−１１とのｙ軸方向の距離はDrix＝２、特徴画像領域である画像領域５２−７と水平中間画像領域である画像領域５２−５との距離はDrh＝４、特徴画像領域である画像領域５２−７と垂直中間画像領域である画像領域５２−１５との距離はDrh＝４となる。水平中間画像領域である画像領域５２−５の特徴量を(Hh，Bh，Sh)＝(20，4，10)、垂直中間画像領域である画像領域５２−１５の特徴量を(Hv，Bv，Sv)＝(10，6，15)とした場合、選択照明領域である照明領域６２Ｌ−１１に照射される照明光の照明パラメータの設定値(Hi，Bi，Si)は、式（１０）乃至（１２）に基づいて、下記の値となる。
【０１０１】
Hi＝30＋((20−30)×(10÷4)＋(10−30)×(2÷4))÷2＝12.5
Bi＝10＋((4−10)×(10÷4)＋(6−10)×(2÷4))÷2＝1.5
Si＝13＋((10−13)×(10÷4)＋(15−13)×(2÷4))÷2＝9.75
【０１０２】
ただし、それぞれ小数点以下を四捨五入して、色相値Hi＝13、明度値Bi＝2、彩度値Si＝10とされる。
【０１０３】
ステップＳ４４において、照明パラメータ設定部８４は、全ての照明領域６２について、照射する照明光の照明パラメータの設定値を算出したか否かを判定する。全ての照明領域６２について、照射する照明光の照明パラメータの設定値が算出されていないと判定された場合、処理はステップＳ４１に戻り、ステップＳ４４において、全ての照明領域６２について、照射する照明光の照明パラメータの設定値が算出されていると判定されるまで、ステップＳ４１乃至Ｓ４４の処理が繰り返される。すなわち、全ての照明領域６２について、順番に照射する照明光の照明パラメータの設定値が算出される。
【０１０４】
ステップＳ４４において、照明領域６２について、照射する照明光の照明パラメータが算出されたと判定された場合、処理はステップＳ４５に進む。
【０１０５】
ステップＳ４５において、照明パラメータ設定部８４は、算出した照明パラメータの設定値を示す照明パラメータ情報を照明制御部２６に供給し、照明パラメータ設定処理は終了する。
【０１０６】
その後、上述した図４のステップＳ４において、画像表示装置１４の画像の表示に同期して、照明パラメータの設定値に基づいて、照明装置１５から照射される照明光の明るさや色が制御される。すなわち、特徴画像領域と照明装置１５から照射される照明光の照射位置である各照明領域６２との距離、および、特徴画像領域とその周囲の画像領域５２（いまの例の場合、水平中間画像領域および垂直中間画像領域）の画像の画像データの特徴量の変化に基づいて、照明領域６２に照射される照明光の明るさまたは色（色相、明度、または、彩度）が制御される。より具体的に言えば、誘目性が高く人の目を惹きやすい特徴画像領域を中心とする画像の明るさや色（色相、明度、彩度）の変化が照明面６１まで展開され、照明装置１５から照射される照明光の明るさや色（色相、明度、彩度）が変化する。
【０１０７】
例えば、人は、色相の順番（虹色の順番）に色が変化している場合、その色の変化を自然と感じることが知られている（例えば、「Sugano, N, Nasu, T., Human color impressions elicited by well-ordered color signal sequence with minimum distance, Industrial Electronics Society, 2000. IECON 2000. 26th Annual Conference of the IEEE, Japan, 10/22/2000 -10/28/2000（会議開催日）, vol.3, p.1614-1619」参照）。
【０１０８】
従って、以上のように、特徴画像領域から周囲の画像領域への明るさや色（色相、明度、彩度）の変化を照明面６１にまで展開させることにより、画像表示装置１４に表示される画像が自然に広がるような視覚効果を視聴者に与えることができ、視聴者に心地よさを感じさせることができる。また、照明装置１５から照射される照明光の明るさや色が、表示される画像に応じてきめ細かく制御されることにより、照明装置１５から照射される照明光が、単に画像を見やすくするためだけではなく、画像を表示する空間の雰囲気を演出する効果を与える。
【０１０９】
以上のように、表示装置に表示される画像の画像データの色相、明度、または彩度である特徴量を検出し、特徴量に基づいて、画像の中で誘目性が最も高い特徴領域を検出し、特徴領域と照明光の照射位置との距離、および、特徴領域を中心とする画像における画像データの特徴量の変化に基づいて、個別の明るさまたは色の複数の照明光を照射する照明装置の照明光の明るさまたは色を設定する場合には、表示される画像に基づいて、照明光の明るさまたは色を制御することができる。また、照明光の明るさまたは色を表示される画像により適した明るさまたは色に制御するようにすることができる。
【０１１０】
なお、以上の説明では、照明装置１５の照明光の色相、明度、および、彩度を変化させる例を示したが、そのうちの１つまたは２つのみを変化させるようにしてもよい。例えば、照明装置１５の照明光の色が単色の場合でも、誘目性の高い特徴画像領域を中心とする画像の明るさや色（色相、明度、彩度）の変化に基づいて、各照明領域６２に照射する照明光の照度を制御することにより、画像全体の照度の平均値のみに基づいて照明光の照度を制御するよりも、誘目性が考慮され、より画像が見やすくなるような照明光を照射することができる。
【０１１１】
また、補正関数Fh()、Fb()、Fs()として、特徴画像領域と選択照明領域のｘ軸方向の距離Drixと特徴画像領域と水平中間画像領域との距離Drhの比、または、特徴画像領域と選択照明領域のｙ軸方向の距離Driyと特徴画像領域と垂直中間画像領域との距離Drvの比により値を求める関数の例を示したが、必要に応じて、距離の比の２乗、３乗など、距離の比のべき乗により値を求める関数としてもよい。また、補正関数を、実験で得られる色相、明度、または彩度の変化曲線に基づく関数としてもよい。さらに、補正関数を画像の画像データの特徴量の分布、時系列における変化などに基づいて、その都度求めるようにしてもよい。
【０１１２】
さらに、特徴画像領域の検出方法について、上述した例だけではなく、２次元の空間差分フィルタを用いて検出するようにしてもよいし、画像データにメタ情報を設定して、そのメタ情報に基づいて検出するようにしてもよい。
【０１１３】
また、照明パラメータの設定値を、中間画像領域だけでなく、さらに多くの画像領域５２の画像データの特徴量に基づいて算出するようにしてもよい。さらに、必要に応じて（例えば、照明光を照射する位置が変化したり、空間全体を照らしたりするなどにより、照射位置が特定できない場合など）、特徴画像領域と照明光の照射位置との距離の代わりに、特徴画像領域と照明光の発光位置との距離に基づいて、照明パラメータの設定値を算出するようにしてもよい。
【０１１４】
なお、本発明は、例えば、家庭用のホームシアターの照明装置に適用することができる。
【０１１５】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１１６】
図９は、汎用のパーソナルコンピュータ７００の内部の構成例を示す図である。CPU（Central Processing Unit）７０１は、ROM（Read Only Memory）７０２に記憶されているプログラム、または記録部７０８からRAM（Random Access Memory）７０３にロードされたプログラムに従って各種の処理を実行する。RAM７０３にはまた、CPU７０１が各種の処理を実行する上において必要なデータなども適宜記憶される。
【０１１７】
CPU７０１、ROM７０２、およびRAM７０３は、バス７０４を介して相互に接続されている。このバス７０４にはまた、入出力インターフェース７０５も接続されている。
【０１１８】
入出力インターフェース７０５には、ボタン、スイッチ、キーボードあるいはマウスなどで構成される入力部７０６、CRT（Cathode Ray Tube）やLCD（Liquid Crystal Display）などのディスプレイ、並びにスピーカなどで構成される出力部７０７、ハードディスクなどで構成される記録部７０８、およびモデムやターミナルアダプタなどで構成される通信部７０９が接続されている。通信部７０９は、インターネットを含むネットワークを介して通信処理を行う。
【０１１９】
入出力インターフェース７０５にはまた、必要に応じてドライブ７１０が接続され、磁気ディスク、光ディスク、光磁気ディスク、あるいは半導体メモリなどよりなるリムーバブルメディア７１１が適宜装着され、そこから読み出されたコンピュータプログラムが、記録部７０８にインストールされる。
【０１２０】
コンピュータにインストールされ、コンピュータによって実行可能な状態とされるプログラムを記録する記録媒体は、図９に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、光磁気ディスク（MD(Mini-Disc)（登録商標）を含む）、もしくは半導体メモリなどよりなるリムーバブルメディア７１１により構成されるだけでなく、装置本体にあらかじめ組み込まれた状態でユーザに提供される、プログラムが記録されているROM７０３または記録部７０８に含まれるハードディスクなどで構成される。
【０１２１】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２２】
また、本明細書において、システムとは、複数の装置により構成される装置全体を表わすものである。
【図面の簡単な説明】
【０１２３】
【図１】本発明を適用した画像表示システムの一実施の形態を示すブロック図である。
【図２】図１の画像表示装置の画面に表示される画像の画像領域、および照明装置から照明光が照射される照明面の照明領域の位置関係を示す図である。
【図３】図１のCPUがプログラムを実行することにより実現される機能の構成の例を示す図である。
【図４】図１の画像表示装置の画像表示処理の例を説明するフローチャートである。
【図５】図４のステップＳ２の画像データ特徴検出処理の詳細を説明するフローチャートである。
【図６】特徴画像領域の検出方法を説明するための図である。
【図７】図４のステップＳ３の照明パラメータ設定処理の詳細を説明するフローチャートである。
【図８】照明パラメータの設定値の算出方法を説明するための図である。
【図９】パーソナルコンピュータの構成例を示すブロック図である。
【符号の説明】
【０１２４】
１  画像表示システム，  １１  画像入力装置，  １２  ユーザインターフェイス，  １３  照明画像管理装置，  １４  画像表示装置，  １５  照明装置，  ２１  A/D変換部，  ２２  デジタルインターフェイス部，  ２３  メモリ，  ２４  CPU，  ２５  D/A変換部，  ２６  照明制御部，  ５１  画面，  ５２  画像領域，  ６１  照明面，  ６２  照明領域，  ８１  画像データ管理部，  ８２  領域情報管理部，  ８３  画像データ特徴検出部，  ８４  照明パラメータ設定部，  ８５  表示タイミング制御部，  ７０１  CPU，  ７０２  ROM，  ７０３  RAM，  ７０８  記録部，  ７１０  ドライブ，  ７２１  リムーバブルメディア
【図１】
2006107905.tif 000003
【図２】
2006107905.tif 000004
【図３】
2006107905.tif 000005
【図４】
2006107905.tif 000006
【図５】
2006107905.tif 000007
【図６】
2006107905.tif 000008
【図７】
2006107905.tif 000009
【図８】
2006107905.tif 000010
【図９】
2006107905.tif 000011